(57)【要約】【課題】暫時伝動装置を遮断することで紙詰まりをリリースする自動フィード装置を提供する。【解決手段】主に駆動モーター、伝動装置、振れ部材と伝動リリース部材を含む。駆動モーターは駆動動力を提供し、伝動装置は駆動動力を伝送する。また、振れ部材は一部の伝動部材と連結し連結状態及び離脱状態となる。伝動リリース部材は振れ部材を固定し、それを離脱状態にさせて紙詰まりをリリースする。【選択図】図３
2008195533.tif 000002
【特許請求の範囲】
【請求項１】
駆動動力を提供するための駆動モーターと、
複数の伝動部材を含み前記駆動動力を伝えるように前記駆動モーターを連結する伝動装置と、
前記伝動装置に結合し前記駆動動力を得てペーパーを伝送するための複数の伝送ロールと、
一部の前記複数の伝動部材と連結する振れ部材であって、前記振れ部材は連結状態及び離脱状態を含むことと、
前記振れ部材に接触しそれが前記離脱状態になり紙詰まりをリリースする目的を果たし、前記振れ部材に接触せずそれが前記連結状態になる伝動リリース部材を含み、
前記振れ部材が前記連結状態にある場合、前記駆動モーターは前記伝動装置から前記駆動動力を前記複数の伝送ロールに伝送し、前記振れ部材が前記離脱状態になる場合、前記駆動モーターは前記伝動装置から前記駆動動力を前記複数の伝送ロールに伝送できないことを特徴とする紙詰まりをリリースする自動フィード装置。
【請求項２】
前記連結状態は前記振れ部材に設置される部分の前記複数の伝動部材とその他の前記複数の伝動部材と連結し合うことであり、前記伝動装置が前記駆動動力を前記複数の伝送ロールに伝送させることを特徴とする請求項1に記載する紙詰まりをリリースする自動フィード装置。
【請求項３】
前記離脱状態は前記振れ部材に設置される部分の前記複数の伝動部材とその他の前記複数の伝動部材と連結せず、紙詰まりをリリースする目的を図り、かつ前記伝動装置が前記駆動動力を前記複数の伝送ロールに伝送させないことを特徴とする請求項1に記載する紙詰まりをリリースする自動フィード装置。
【請求項４】
前記振れ部材は中央孔を有し、前記中央孔は前記複数の連動部材のうちのシャフトを貫通し、前記振れ部材が前記中央孔によって振れることを特徴とする請求項1に記載する紙詰まりをリリースする自動フィード装置。
【請求項５】
前記複数の伝動部材は複数歯車からなることを特徴とする請求項1に記載する紙詰まりをリリースする自動フィード装置。
【請求項６】
さらに上蓋を含み、前記上蓋を開くと前記伝動リリース部材は前記振れ部材に接触し、前記振れ部材を前記離脱状態にすることを特徴とする請求項1に記載する紙詰まりをリリースする自動フィード装置。
【請求項７】
前記上蓋を閉めると前記伝動リリース部材は前記振れ部材に接触せず、前記振れ部材が連結状態になることを特徴とする請求項６に記載する紙詰まりをリリースする自動フィード装置。
【請求項８】
前記伝動リリース部材は回転孔を含み、前記回転孔は前記自動フィード装置内の回転突起シャフトを貫通することを特徴とする請求項1に記載する紙詰まりをリリースする自動フィード装置。
【発明の詳細な説明】
【技術分野】
【０００１】
本発明は自動フィード装置に関し、特に紙詰まりをリリースする自動フィード装置に関する。
【背景技術】
【０００２】
現代人の日常生活やオフィス文書事務において、フィード装置は極普通に使用されており、それは通常、ファクシミリ、プリンター、スキャナー及び多機能事務機（ＭＦＰ）等のスキャン装置に使用されている。然しながら、フィード装置が使用される過程で様々な原因によりよく紙詰まりを起こしている。それは例えばペーパーの厚みが薄過ぎたり厚過ぎたり、ユーザーが急に自動紙送り工程を中断したり、ペーパーが湿気て柔らか過ぎたり、或いは乾燥し過ぎで硬くなり過ぎていたり、ペーパーの滑らか度が不適当なために紙送りチャネルを通過し難くなったり、若しくはペーパーの長さが不適切だったりなどである。このため多くの従来のフィード装置では、何れも簡単な紙詰まり取出し設計をしている。
【０００３】
図１は紙詰り取出設計のあるフィード装置である。前記フィード装置には三組のペーパー送り用のロールセットを具備し、それぞれ第一ペーパー送り用のロールセット１００、第二ペーパー送り用のロールセット１１０及び第三ペーパー送り用のロールセット１２０からなる。ペーパーが前記フィード装置を伝送される際、伝送経路１３０により第一ペーパー送り用のロールセット１００、第二ペーパー送り用のロールセット１１０、第三ペーパー送り用のロールセット１２０を順次通過する。
【０００４】
前記フィード装置における第一ペーパー送り用の遊び滑車１１１及び第二ペーパー送り用の遊び滑車１２１は共に上蓋１４０に連結している。ペーパーが第一ペーパー送り用のロールセッ１００或いは第二ペーパー送り用のロールセット１１０で詰まると、ユーザーは上蓋１４０を矢印１５０の方向に開けるだけで、第一ペーパー送り用のロールセット１００と第二ペーパー送り用のロールセット１１０が同時にリリースするので、ユーザーは簡単にペーパーを取り出せる。
【０００５】
しかし、ペーパーが第三ペーパー送り用のロールセット１２０で詰まると、ユーザーが矢印１６０方向或いは矢印１７０方向に向かってペーパーを取出すには大きな力がかかり、ペーパーがフィード装置内で破けてしまうこととなる。その主たる原因は、第三ペーパー送り用のロールセット１２０とモーター１８０の間にある伝道機構には、多くの歯車が互いに噛み合わさっているため、ユーザーがペーパーを取出そうとするとモーター１８０が起こす制動が強まり抵抗力が極めて大きくなるので、ペーペーが取出し難くなるのである。
【０００６】
これに鑑みて本発明では紙詰まりをリリースする自動フィード装置を提供し、詰まったペーパーを取出す過程で伝道装置によってモーターの制動が強まるのを防止できる。これによって、ユーザーは容易に詰まったペーパーを取出すことが出来るのである。
【発明の開示】
【発明が解決しようとする課題】
【０００７】
本発明の主な目的は、詰まったペーパーを取出す過程で伝道装置によってモーターの制動が強まるのを防止することで、容易に詰まったペーパーを取出せるという目的を果たせる紙詰まりをリリースする自動フィード装置を提示することにある。
【０００８】
本発明のもう一つの目的は、伝動装置を遮断して伝送ロールとモーターの間の間接接続を避けることで紙詰まりをリリースするという目的を果たせる紙詰まりをリリースする自動フィード装置を提示することにある。
【課題を解決するための手段】
【０００９】
本発明の好ましい実施例において、駆動モーター、伝道装置、複数の伝送ロール、振れ部材及び伝道リリース部材からなる紙詰まりをリリースする自動フィード装置を提供する。その内、駆動モーターは駆動動力を提供し、伝動装置は複数の伝動部材を含み、駆動動力を伝えるように駆動モーターを連結し、複数の伝送ロールは上記伝動装置に接続し駆動動力を得てペーパーを伝送し、振れ部材は一部の上記複数の伝動部材と接続し、振れ部材は連結状態及び離脱状態を有し、伝動リリース部材は振れ部材に接触して、それを離脱状態にさせて紙詰まりをリリースする目的を果たし、若しくは振れ部材に接触せずそれを連結状態にさせる。振れ部材が連結状態にある場合、駆動モーターは伝動装置から駆動動力を複数の伝送ロールに伝送する。振れ部材が離脱状態にある場合、駆動モーターは伝動装置から駆動動力を複数の伝送ロールに伝送できない。
【発明を実施するための最良の形態】
【００１０】
[実施例]
本発明の実施例では紙詰まりをリリースする自動フィード装置を提示する。本発明の趣旨は振れ部材と伝道リリース部材により伝道装置を遮断してフィード装置中の駆動モーターと伝送ロール間の連結関係を遮断するので、ユーザーは容易に詰まったペーパーを取り出せるのである。
【００１１】
図２は本発明に適った自動フィード装置の概略図である。通常ユーザーはオフィスのスキャン装置を使用する場合、通常ペーパーの両面スキャンをする必要から本実施例では両面フィード機能を具えた自動フィード装置を採用して説明することとする。図で示されるように、前記自動フィード装置２００は本体２０１と上蓋２０６を具備している。本体２０１は、取込台２０２、取出台２０４、内部ロールセット２３０、取出用ロールセット２４０、第一フィードチャネル２５０及び第二フィードチャネル２６０からなる。そのうち、内部ロールセット２３０は第一ペーパー送り用ロール２３１、第二ペーパー送り用ロール２３２、第三ペーパー送り用ロール２３３からなり、取出用ロールセット２４０は取出用アクティブロール２４１を含む。上蓋２０６は取込用ロールセット２１０とペーパー送り用のロールセット２２０を含む。そのうちペーパー送り用のロールセット２２０は第一ペーパー送り用ロール２２１を含む。
【００１２】
ユーザーがペーパーの一面のみをスキャンしなければならない場合、ペーパーはまず取込台２０２の上に置かれ、第一フィードチャネル２５０から順々に取込用ロールセット２１０、ペーパー送り用のロールセット２２０、内部ロールセット２３０及び取出用ロールセット２４０を通過する。この時の取出用アクティブロール２４１が時計の針と逆回りに回転するので、ペーパーは最後に取出台２０４の上に送られる。ユーザーがペーパーの一面と二面を順番にスキャンしようと思えば、ペーパーが一面のスキャンを終えて取出台２０４に送られた後、取出用アクティブロール２４１はしばし時計回りに反転し、ペーパーを第二フィードチャネル２６０に送って二面のスキャンを終え、最後に取出台２０４に送る。
【００１３】
上記のペーパー両面フィード工程は本発明の趣旨ではなく、当業者は以上のペーパー両面フィード工程は了解している筈なので、本文ではこうした技術上の細部については贅言しないこととする。このほか、ペーパーが上記の取込用ロールセット２１０若しくはペーパー送り用ロールセット２２０で紙詰まりした場合、同様に従来の技術の中にも紙詰まりをリリースするために採用できる多くの設計があるので、本文ではそうした技術上の細部についても贅言しないこととする。一例を挙げると、上記の実施例では取込用ロールセット２１０と第一ペーパー送り用ロールセット２２１が上蓋２０６と相互に連結しているので、ペーパーが取込用ロールセット２１０若しくはペーパー送り用ロールセット２２０で紙詰まりした場合、ユーザーは上蓋２０６を開けるだけで容易に詰まったペーパーを取り出せるのである。
【００１４】
図３は図２に符合する内部部材設置の概略図である。図は駆動モーター３００、伝道装置３１０、振れ部材３２０及び伝道リリース部材３３０を含む。そのうち、伝道装置３１０は複数の伝道部材からなり、本実施例での伝道部材は歯車である。伝道装置３１０は第一歯車３１１、第二歯車３１２、第三歯車３１３、第四歯車３１４、第五歯車３１５、第六歯車３１６、第七歯車３１７及び第八歯車３１８からなり、そのうち、第六歯車３１６、第七歯車３１７及び第八歯車３１８は、振れ部材３２０に連結している。第五歯車３１５とペーパー送り用ロールセット２３０（図２）の中の第一ペーパー送り用ロール２３１（図２）は同一の軸心で相互に連結しているので、駆動モーター３００から提供される駆動動力は第一ペーパー送り用ロール２３１（図２）へ伝送される。同様にして、第四歯車３１４と取出用ロールセット２４０（図２）の中の取出用アクティブロール２４１（図２）は同一の軸心で相互に連結しているので、駆動モーター３００から提供される駆動動力は取出用アクティブロール２４１（図２）へ伝送される。
【００１５】
図４は伝動装置の運行概略図である。図で示されるように、ペーパーは第一フィードチャネル２５０（図２）或いは第二一フィードチャネル２６０（図２）のどちらを経由するにせよ、スキャンを行なった後自動フィード装置の外部に送り出される。この時駆動モーター３００は時の針と逆回りに回転するので、伝道装置３１０の各歯車は図の矢印が示すように回転する。振れ部材３２０の第八歯車３１８は第一歯車３１１が時計回りに回転する影響を受けるので、第八歯車３１８は第五歯車３１５に接近する傾向にあり、第五歯車３１５は第八歯車３１８と相互に噛み合わさるので、駆動モーター３００の駆動動力を得ることが出来る。最後に第一ペーパー送り用ロール２３１（図２）は第五歯車３１５が回転する影響を受けて時計回りに回転し、取出用アクティブロール２４１（図２）は第四歯車３１４が回転する影響を受けて時計の針と逆回りに回転する。
【００１６】
図５は伝動装置の別の運行概略図である。図で示されるように、ペーパーは既に取出用ロールセット２４０（図２）へ送られているが、ペーパーの二面もスキャンする必要があるので、ペーパーを第二フィードチャネル２６０（図２）へフィードする必要から、このとき駆動モーター３００は時計回りに回転して、伝道装置３１０の中の各歯車は図の矢印が示す様に回転する。振れ部材３２０の第六歯車３１６は第一歯車３１１が時計の針と逆回りに回転する影響を受けるので、第六歯車３１６と第七歯車３１７は第五歯車３１５に接近する傾向にあり、最後に第五歯車３１５は第七歯車３１７と相互に噛み合わさるので、駆動モーター３００の駆動動力を得ることが出来る。このとき第一ペーパー送り用ロール２３１（図２）は、第五歯車３１５が回転する影響を受けて時計回りに回転し、また、取出用アクティブロール２４１（図２）は第四歯車３１４が回転する影響を受けて時計回りに回転する。
【００１７】
図６は本発明における紙詰まりをリリースするために伝道装置を遮断した概略図である。本発明において伝道リリース部材３３０で伝道装置３１０を遮断して紙詰まりをリリースする方法を明確に提示するために、図６では自動フィード装置の本体２１０、上蓋２０６、駆動モーター３００、伝送装置３１０、振れ部材３２０及び伝道リリース部材３３０のみを標示している。そのうち、上蓋２０６には突起部材２７０が有り、本体２０１には回転突起シャフト２７５と第一突起ボタン２８０が有り、伝道リリース部材３３０には回転孔３３１、凹状部３３２が有り、振れ部材３２０には第二突起ボタン３２１が有る。弾性部材は伝道リリース部材３３０と本体２０１を連結するのに用いられ、本実施例では弾性部材はスプリング２８５を使用しており、スプリング２８５の第一端は伝道リリース部材３３０に連結しており、またスプリング２８５の第二端は第一突起ボタン２８０に接続している。伝道リリース部材３３０には回転孔３３１が有って回転突起シャフト２７５に掛けられており、伝道リリース部材３３０は回転突起シャフト２７５によって回転する。
【００１８】
ペーパーがフィード工程で内部ロールセット２３０（図２）で詰まった場合、考えられる状況は次の通りである。ペーパーが第一内部ロール２３１（図２）と第二内部ロール２３２（図２）の間で詰まったか、ペーパーが第一内部ロール２３１（図２）と第三内部ロール２３３（図２）の間で詰まったか、或いはペーパーが同時に第一内部ロール２３１（図２）、第二内部ロール２３２（図２）及び第三内部ロール２３３（図２）の間で詰まったかである。このとき紙詰まりをリリースするために、本発明では上蓋２０６を開けて伝道リリース部材３３０をスプリング２８５の引っ張り強さの作用で回転孔３３１に従って回転させるので、伝道リリース部材３３０の凹状部３３２は第二突起ボタン３２１を支えて、振れ部材３２０を特定位置に固定させ、第七歯車３１７と第八歯車３１８がどちらも第五歯車３１５に接触しないようにする効果をもたらす。上記の状況は触れ部材３２０が離脱状態にあり、このとき第五歯車３１５と駆動モーター３００の間の連結関係はしばし遮断されているので、第五歯車３１５と第五歯車３１５と同じ軸心の第一内部ロール２３１（図２）は共に自由に回転でき、よってユーザーは内部ロールセット２３０（図２）に詰まったペーパーを容易に取り出せるのである。
【００１９】
図７は本発明において伝動装置の連結関係を回復させた概略図である。図に示されるように、ユーザーが詰まったペーパーを取り出した後、上蓋２０６を再度本体２０１に被せると、上蓋２０６の突起部材２７０が伝道リリース部材３３０に当接して、伝道リリース部材３３０を回転孔３３１に従って回転させて第二突起ボタン３２１から離す。上記の状況は振れ部材３２０の連結状態であり、このとき第五歯車３１５は駆動モーター３００との連結関係を回復する。本文中の図４に関する説明に基いて、駆動モーター３００は時計の針と逆回りに回転し、最後に第五歯車３１５は第八歯車３１８と相互に噛み合わさるので、伝動装置３１０全体の連結関係を回復するのである。或いは駆動モーター３００が時計回りに回転すると、上記の図５の説明に基き、最後に第五歯車３１５は第七歯車３１７と相互に噛み合わさるので、伝動装置３１０全体の連結関係を回復するのである。
【００２０】
上記内容は本発明の好ましい実施例に過ぎず、本発明の特許申請範囲を限定するものではなく、また、本発明で開示した趣旨を逸脱しない範囲において完成した等価変更若しくは補正は、全て本案における特許申請の範囲内に含まれるものとする。
【図面の簡単な説明】
【００２１】
【図１】紙詰り取出設計を有する従来のフィード装置である。
【図２】本発明に適った自動フィード装置の概略図である。
【図３】図２に符合する内部部材の設置概略図である。
【図４】伝動装置の運行概略図である。
【図５】伝動装置の別の運行概略図である。
【図６】本発明において紙詰まりをリリースするために伝道装置を遮断した概略図である。
【図７】本発明において伝動装置の連結関係を回復させた概略図である。
【符号の説明】
【００２２】
１００  第一ペーパー送り用のロールセット
１１０  第二ペーパー送り用のロールセット
１１１  第一ペーパー送り用の遊び滑車
１２０  第三ペーパー送り用のロールセット
１２１  第二ペーパー送り用の遊び滑車
１３０  伝送経路
１４０  上蓋
１５０、１６０、１７０  矢印
１８０  モーター
２００  自動フィード装置
２０１  本体
２０２  取込台
２０４  取出台
２０６  上蓋
２１０  取込用ロールセット
２２０  ペーパー送り用のロールセット
２３０  内部のロールセット
２４０  取出用ロールセット
２４１  取出用アクティブロール
２５０  第一フィードチャネル
２６０  第二フィードチャネル
２７０  突起部材
２７５  回転突起シャフト
２８０  第一突起ボタン
２８５  スプリング
３００  駆動モーター
３１０  伝動装置
３１１  第１歯車
３１２  第２歯車
３１３  第３歯車
３１４  第４歯車
３１５  第５歯車
３１６  第６歯車
３１７  第７歯車
３１８  第８歯車
３２０  振れ部材
３２１  第二突起ボタン
３３０  伝動リリース部材
３３１  回転孔
３３２  凹状部
【図１】
2008195533.tif 000003
【図２】
2008195533.tif 000004
【図３】
2008195533.tif 000005
【図４】
2008195533.tif 000006
【図５】
2008195533.tif 000007
【図６】
2008195533.tif 000008
【図７】
2008195533.tif 000009